(57)【要約】【課題】人間の手指とグリップとの間で滑りを防止し得るグリップ及び該グリップが設けられた筆記具を提供することを課題とする。【解決手段】ボ−ルペン、シャ−プペンシルなどの筆記具１０に用いられるグリップ３０であり、該グリップ３０には、複数の凹溝３１が形成されており、各凹溝３１の溝幅が０．１〜０．３ｍｍであることを特徴とするものであり、また、前記凹溝３１のピッチを、０．２５〜０．５ｍｍとすることもできる。更に、各凹溝３１は、交差することにより格子状に形成することもできる。【選択図】　　図１
2004042364.tif 000002
【特許請求の範囲】
【請求項１】
筆記具に用いられるグリップであって、該グリップには、複数の凹溝が形成されており、各凹溝の溝幅が０．１〜０．３ｍｍであることを特徴とするグリップ。
【請求項２】
前記凹溝のピッチは、０．２〜０．８ｍｍであることを特徴とする請求項１に記載のグリップ。
【請求項３】
前記各凹溝は、交差することにより格子状に形成されていることを特徴とする請求項１又は２に記載のグリップ。
【請求項４】
グリップが設けられた筆記具であって、該グリップには、複数の凹溝が形成されており、各凹溝の溝幅が０．１〜０．３ｍｍであることを特徴とする筆記具。
【請求項５】
前記凹溝のピッチは、０．２〜０．８ｍｍであることを特徴とする請求項４に記載のグリップ。
【請求項６】
前記各凹溝は、交差することにより格子状に形成されていることを特徴とする請求項４又は５に記載のグリップ。
【発明の詳細な説明】
【０００１】
【発明が属する技術分野】
本発明は、筆記具に用いられるグリップ及びこのグリップが設けられた筆記具に関するものである。
【０００２】
【背景技術】
筆記具を把持した際に、手と筆記具との間の滑りを防止するため、様々な技術が提案されている。
例えば、実用新案登録第３０１０５７０号においては、銀イオンを固定したゼオライト微粒子が分散されたシリコンゴムからなる滑り止め具が開示されている。
また、特開平８−７２４６３号公報では、グリップ部の外周に厚肉皮膜を形成したグリップが開示されている。
しかしながら、これらの従来技術は、いずれも材質等で滑りという問題を防止しようとするものである。
【０００３】
更に、実用新案登録第３００８９０９号においては、溝部が形成されたグリップである保護カバ−が開示されているが、溝部の溝幅は後述するような指紋の筋の幅を問題としたものではない。
【０００４】
人間の手指の先端には、指紋が当然ながら形成されている。この指紋には、盛り上がった筋がほぼ等間隔に走っており、この筋により、把持する際に手指と被把持物との間で摩擦抵抗を高め、被把持物をつかみやすくしている。
上記に示した従来技術を含め、従来、該指紋に着目した技術はほとんど提案されていなかった。
【０００５】
【発明が解決しようとする課題】
本発明は、この指紋に焦点を当て、この指紋をより積極的に利用して人間の手指とグリップとの間で滑りを防止し得るグリップ及び該グリップが設けられた筆記具を提供することを課題とするものである。
【０００６】
【課題を解決するための手段】
上記課題を解決するための第１の課題解決手段は、筆記具に用いられるグリップであって、該グリップには、複数の凹溝が形成されており、各凹溝の溝幅が０．１〜０．３ｍｍであることを特徴とするものである。
ここで、「筆記具」にはボ−ルペン、シャ−プペンシル、筆ペン、サインペン等各種あるが、特に限定されるものではない。
「グリップ」の材質については、何ら限定されない。このため、金属製のグリップも考えられる。しかし、手指とグリップのフィット感を高めるためには、弾性体であることが望ましい。
【０００７】
本出願人は、本グリップの開発にあたり指紋の寸法測定を行った。人間の手指の指紋には、上述の通り盛り上がって筋が形成されている。複数の人間の筋の寸法を計測すると、筋の幅が平均で約０．２ｍｍ、筋のピッチ（筋が設けられている間隔）は約０．３５ｍｍであった。また、筋の高さの平均は約０．１ｍｍであった。
【０００８】
この測定をもとに、グリップの研究開発を行い本解決手段に到達した。その結果、各凹溝の溝幅は０．１〜０．３ｍｍが適当であることが判明した。図２のように軸方向と垂直に凹溝を形成し、該凹溝の寸法と凹溝のピッチを変化させた溝幅のグリップを多数用意し、実際に筆記を行ってみたが、０．１ｍｍ未満であると、滑りやすくなる事が判明した。これは、指紋の筋が凹溝から外れるためであると考えられる。一方、０．３ｍｍを超えるとこの場合も滑りやすくなることが判明した。これは、凹溝内に指紋の筋が入ることはできるが、凹溝の幅が指紋の筋に比べ広いために、凹溝内内に指紋の筋が動く（ぐらつく）余地があるためであると考えられる。
【０００９】
尚、より好ましくは凹溝の幅が０．１４〜０．２４ｍｍである。最大でも０．２４ｍｍと溝幅を狭めることで、該溝幅により毛細管力がより働くようになり、手汗を該溝幅内に保持し得るようになり、滑りに対してより有効となるためである。また、０．１４ｍｍ以上とすることで、凹溝内での指紋の筋のぐらつきをより抑えることが可能となるからである。尚、凹溝の深さは０．１ｍｍ以上であることが望ましい。人間の指紋の筋の高さがおよそ０．１ｍｍだからである。好ましくは０．１５ｍｍ以上である。
【００１０】
第２の解決手段は、第１の解決手段を限定したものであり、前記凹溝のピッチを、０．２〜０．８ｍｍとしたことを特徴とするものである。上述のように、本出願人による指紋の寸法測定の結果、指紋の筋のピッチ（筋が設けられている間隔）は約０．３５ｍｍであった。０．２ｍｍ〜０．８ｍｍの範囲とすることで、指紋の筋と凹溝が合致する確率が高まり、第１の課題解決手段と相まってより、滑りを防止できるようになる。０．２ｍｍ未満では、必要以上に凹溝が設けられるため生産等に手間を要するようになる。一方、０．８ｍｍより大きくなると指紋の筋に対し、凹溝が不足し把持の際に滑りが生じやすくなる。尚、より好ましくは、０．３〜０．７ｍｍである。この範囲内であるとより生産効率を高められると同時に、より滑りを防止できるようになる。
【００１１】
第３の解決手段は、第１の課題解決手段又は第２の課題解決手段を限定したものであり、前記各凹溝は、交差することにより格子状に形成されていることを特徴とするものである。格子状に形成することで把持の際に様々な方向の滑りに対し、有効に凹溝が指紋の筋に作用するようになる。
【００１２】
第４の課題解決手段は、グリップが設けられた筆記具であって、該グリップには、複数の凹溝が形成されており、各凹溝の溝幅が０．１〜０．３ｍｍであることを特徴とするものである。
筆記具へグリップを設ける方法であるが、別部品で形成したグリップを設ける方法や、２色成形などで筆記具と一体に成形する方法もある。尚、こららに限定されないことは言うまでもない。
また、筆記具にグリップを設けた点以外は、第１の課題解決手段と同様であるため説明を省略する。
【００１３】
第５の課題解決手段は、第４の課題解決手段を限定したものであり、前記凹溝のピッチは、０．２〜０．８ｍｍであることを特徴とするものである。
【００１４】
第６の課題解決手段は、第４の課題解決手段又は第５の課題解決手段を限定したものであり、前記各凹溝は、交差することにより格子状に形成されていることを特徴とするものである。
尚、第５及び第６の解決手段は、それぞれ前記第２及び第３の解決手段と同様であるため、説明を省略する。
【００１５】
【発明の実施の形態】
本発明の実施の形態を図１〜図３を用いて説明する。第１の実施形態を図１及び図２に示し、第２の実施形態を図３に示す。
【００１６】
図１は、本発明の第１の実施形態を示す正面図及びグリップの拡大図である。図２は、第１の実施形態で示されたグリップの拡大斜視図であり、非接触３次元測定装置を用いて測定したものである。
【００１７】
本実施形態の筆記具１０は、軸筒２０と、軸筒２０の先端に設けられた筆記先端４０と、軸筒の前方に設けられたグリップ３０とからなる。グリップ３０は、円筒状に形成されており、軸筒２０の前方外周がグリップ３０により覆われている。グリップ３０は軸筒２０の成形と同時に２色成形により同時に成形されている。
【００１８】
図１のグリップの拡大図及び図２の拡大斜視図を参照すると、グリップ３０の表面には、平行に形成された複数の凹溝３１が形成されている。また、凹溝に囲まれる形で島３２が平行四辺形状に形成されている。該複数の凹溝は２つの異なる方向を向いて形成されており、その交角αは６０度となっている。望ましい範囲は４５度〜１３５度であり、この範囲内の場合、把持の際に様々な方向の滑りに対し、有効に凹溝が指紋の筋に作用するようになる。
【００１９】
凹溝の形成方法であるが、金型に凹溝に対応する凸部を形成しておくことで、成形により凹溝を形成してある。その他には、切削等の後加工で凹溝を形成する方法もある。尚、凹溝の形成方法はこれらに限定されない。
凹溝の溝幅Ｗ１は０．１４ｍｍであり、凹溝のピッチＰ１は０．６５ｍｍである。また、凹溝の深さは０．１５ｍｍである。
【００２０】
図３は、本発明の第２の実施形態を示す正面図及びグリップの拡大図を示している。図３の実施形態では、凹溝３１を軸方向と直角に形成してある。本実施形態では、凹溝の溝幅Ｗ２を０．２ｍｍとし、凹溝のピッチＰ２を０．５ｍｍとしてある。
【００２１】
尚、凹溝の形成位置（模様）についてはその他に、凹溝を筆記具の軸方向と平行に設けたり、波形に設けることも可能である。
【００２２】
【発明の効果】
本発明により、人間の手指とグリップとの間で滑りを防止し得るグリップ及び該グリップが設けられた筆記具を提供することができる。
【図面の簡単な説明】
【図１】本発明の第１の実施形態を示す正面図及びグリップの拡大図である。
【図２】第１の実施形態で示されたグリップの拡大斜視図である。
【図３】本発明の第２の実施形態を示す正面図及びグリップの拡大図である。
【符号の説明】
１０　筆記具
２０　軸筒
３０　グリップ
３１　凹溝
３２　島
４０　筆記先端
Ｗ１　凹溝の溝幅
Ｐ１　凹溝のピッチ
Ｗ２　凹溝の溝幅
Ｐ２　凹溝のピッチ
α　　凹溝の交角
【図１】
2004042364.tif 000003
【図２】
2004042364.tif 000004
【図３】
2004042364.tif 000005